(57)【特許請求の範囲】
【請求項１】
被験者の体脂肪に関する診断指標を取得する診断指標取得装置であって、
前記被験者の腹部領域中の２つ以上の断面を示す断面画像それぞれについて、前記腹部領域中の皮下脂肪領域の分布と内臓脂肪領域の分布とを求める手段と、
前記被験者に関する前記皮下脂肪領域の分布と該皮下脂肪領域の分布に対応する予め求めておいた人体モデルに関する皮下脂肪領域の分布とを身長方向について比較して、前記被験者の皮下脂肪領域の肥満の状態を示す皮下脂肪比率曲線を得るとともに、前記被験者に関する前記内臓脂肪領域の分布と該内臓脂肪領域の分布に対応する予め求めておいた人体モデルに関する内臓脂肪領域の分布とを身長方向について比較して、前記被験者の内臓脂肪領域の肥満の状態を示す内臓脂肪比率曲線を得る手段と、
前記皮下脂肪比率曲線と前記内臓脂肪比率曲線とを用いて、前記被験者の皮下脂肪肥満の部位と状態または内臓脂肪肥満の部位と状態を示す診断指標を得る手段とを備えたことを特徴とする診断指標取得装置。
【請求項２】
被験者の体脂肪に関する診断指標を取得する診断指標取得装置であって、
前記被験者の腹部領域中の２つ以上の断面を示す断面画像それぞれについて、前記腹部領域中の皮下脂肪領域の分布と内臓脂肪領域の分布とを求め、
前記被験者に関する前記皮下脂肪領域の分布と該皮下脂肪領域の分布に対応する該被験者に関する過去の皮下脂肪領域の分布とを身長方向について比較して、前記被験者の皮下脂肪領域の肥満の状態を示す皮下脂肪比率曲線を得るとともに、前記被験者に関する前記内臓脂肪領域の分布と該内臓脂肪領域の分布に対応する該被験者に関する過去の内臓脂肪領域の分布とを身長方向について比較して、前記被験者の内臓脂肪領域の肥満の状態を示す内臓脂肪比率曲線を得る手段と、
前記皮下脂肪比率曲線と前記内臓脂肪比率曲線とを用いて、前記被験者の皮下脂肪肥満の部位と状態または内臓脂肪肥満の部位と状態を示す診断指標を得る手段とを備えたことを特徴とする診断指標取得装置。
【請求項３】
前記被験者の腹部領域中の各断面が、該被験者の身長方向に対して直交する断面であることを特徴とする請求項１または２記載の診断指標取得装置。
【請求項４】
前記断面画像が、前記被験者のへそを通り身長方向に対して直交する断面よりも頭部側の断面を示す断面画像と、前記へそを通る断面よりも脚部側の断面を示す断面画像とを含むものであることを特徴とする請求項１から３のいずれか１項記載の診断指標取得装置。
【請求項５】
前記診断指標を得る手段が、前記皮下脂肪比率曲線と前記内臓脂肪比率曲線とを比較して、前記診断指標を得るものであることを特徴とする請求項１から４のいずれか１項記載の診断指標取得装置。
【発明の詳細な説明】
【技術分野】
【０００１】
本発明は診断指標取得方法に関し、詳しくは、被験者の腹部領域の断面画像から被験者の肥満の状態を示す診断指標を得る診断指標取得方法に関するものである。
【背景技術】
【０００２】
従来より、体重に占める体脂肪の重さの割合を示す体脂肪率を測定する種々の方式が知られている。体脂肪率を求める方式としては、例えば、人体の水中での体重と陸上での体重との違いを測定して得られた体密度から体脂肪率を推定する方式や、人体に微小電流を流したときの電気抵抗が体脂肪の量に応じて変化することを利用して体脂肪率を推定するインピーダンス法等が知られている。なお、体脂肪は、内臓脂肪と皮下脂肪とを合わせたものであり人体を構成する脂肪の総称である。
【０００３】
また、体脂肪の一部である内臓脂肪の人体に占める比率を推定する方式も知られている（特許文献１参照）。この方式は、Ｘ線ＣＴを用いた人体の断層撮影により、内臓脂肪を示す領域の境界を明確に識別できるようにした断面画像を得、この断面画像中の内臓脂肪を示す領域の面積と他の領域の面積とから人体に占める内臓脂肪の比率を求めて内臓脂肪率を推定するものである。上記方式は、人体のへそを通る１枚の断面画像から内臓脂肪率を推定するものである。
【０００４】
また、被験者の腹部領域中の１断面を示す1枚の断面画像からこの被験者の内臓脂肪および皮下脂肪を示す領域の面積を求めて被験者の肥満の状態を示す診断情報を得るような手法も知られている（特許文献２参照）。
【０００５】
このように、体脂肪率、内臓脂肪率、および皮下脂肪率等は、直接測定することが困難なので、間接的に得られた種々の測定データから推定して求めている。
【特許文献１】特開２００４−２５４９３３号公報
【特許文献２】特開２００２−１９１５６３号公報
【発明の開示】
【発明が解決しようとする課題】
【０００６】
ところで、腹部領域中における皮下脂肪や内臓脂肪の占める範囲を把握することにより、被験者の肥満の状態をより正確に示す診断指標を得たいという要請がある。しかしながら、被験者の腹部領域の１断面を示す断面画像を用いた診断では、腹部領域中における皮下脂肪や内臓脂肪の範囲を把握することは難しいという問題がある。
【０００７】
本発明は、上記事情に鑑みてなされたものであり、被験者の肥満の状態を示す診断指標の品質を高めることができる診断指標取得方法を提供することを目的とするものである。
【課題を解決するための手段】
【０００８】
本発明の第１の診断指標取得方法は、被験者の体脂肪に関する診断指標を取得する診断指標取得方法であって、被験者の腹部領域中の２つ以上の断面を示す断面画像を用意し、これらの断面画像を用いて、腹部領域中の皮下脂肪領域の分布と内臓脂肪領域の分布とを求め、被験者に関する２種類の分布と、その２種類の分布に対応する予め求めておいた人体モデルについての２種類の分布とを比較して、被験者の肥満の状態を示す診断指標を得ることを特徴とするものである。
本発明の第１の診断指標取得装置は、被験者の体脂肪に関する診断指標を取得する診断指標取得装置であって、被験者の腹部領域中の２つ以上の断面を示す断面画像それぞれについて、腹部領域中の皮下脂肪領域の分布と内臓脂肪領域の分布とを求める手段と、被験者に関する前記皮下脂肪領域の分布と該皮下脂肪領域の分布に対応する予め求めておいた人体モデルに関する皮下脂肪領域の分布とを身長方向について比較して、被験者の皮下脂肪領域の肥満の状態を示す皮下脂肪比率曲線を得るとともに、被験者に関する前記内臓脂肪領域の分布と該内臓脂肪領域の分布に対応する予め求めておいた人体モデルに関する内臓脂肪領域の分布とを身長方向について比較して、被験者の内臓脂肪領域の肥満の状態を示す内臓脂肪比率曲線を得る手段と、皮下脂肪比率曲線と内臓脂肪比率曲線とを用いて、被験者の皮下脂肪肥満の部位と状態または内臓脂肪肥満の部位と状態を示す診断指標を得る手段とを備えたことを特徴とするものである。
【０００９】
本発明の第２の診断指標取得方法は、被験者の体脂肪に関する診断指標を取得する診断指標取得方法であって、被験者の腹部領域中の２つ以上の断面を示す断面画像を用意し、これらの断面画像を用いて、腹部領域中の皮下脂肪領域の分布と内臓脂肪領域の分布とを求め、被験者に関する２種類の分布と、その２種類の分布に対応する被験者に関する過去における２種類の分布とを比較して、被験者の肥満の状態を示す診断指標を得ることを特徴とするものである。
本発明の第２の診断指標取得装置は、被験者の体脂肪に関する診断指標を取得する診断指標取得装置であって、被験者の腹部領域中の２つ以上の断面を示す断面画像それぞれについて、腹部領域中の皮下脂肪領域の分布と内臓脂肪領域の分布とを求め、被験者に関する前記皮下脂肪領域の分布と該皮下脂肪領域の分布に対応するこの被験者に関する過去の皮下脂肪領域の分布とを身長方向について比較して、被験者の皮下脂肪領域の肥満の状態を示す皮下脂肪比率曲線を得るとともに、被験者に関する前記内臓脂肪領域の分布と該内臓脂肪領域の分布に対応するこの被験者に関する過去の内臓脂肪領域の分布とを身長方向について比較して、被験者の内臓脂肪領域の肥満の状態を示す内臓脂肪比率曲線を得る手段と、皮下脂肪比率曲線と内臓脂肪比率曲線とを用いて、被験者の皮下脂肪肥満の部位と状態または内臓脂肪肥満の部位と状態を示す診断指標を得る手段とを備えたことを特徴とするものである。
【００１０】
前記被験者の腹部領域中の各断面は、この被験者の身長方向に対して直交する断面とすることができる。
【００１１】
前記断面画像は、被験者のへそを通り身長方向に対して直交する断面よりも頭部側の断面を示す断面画像と、このへそを通る断面よりも脚部側の断面を示す断面画像とを含むものであることが望ましい。
【００１２】
前記腹部領域中の皮下脂肪領域の分布は、腹部領域中における皮下脂肪領域の占める範囲を示すものとすることができ、腹部領域中の内臓脂肪領域の分布は、腹部領域中における内臓脂肪領域の占める範囲を示すものとすることができる。
【００１３】
前記断面画像は、被検者の身長方向に対して直交する断面を示す断面画像としたり、被験者の身長方向に対して傾斜した断面を示す断面画像とすることができる。
【００１４】
また、被検者の腹部領域は、この被検者の肝臓上部辺縁、横隔膜下部、脊椎の椎間のうちのいずれかを通り被検者の身長方向に対して直交する断面と、腸骨上部、腸骨下部、仙骨下部のうちのいずれかを通り被検者の身長方向に対して直交する断面との間の領域とすることができる。
【発明の効果】
【００１５】
本発明の第１および第２の診断指標取得方法によれば、用意された被験者の腹部領域中の互に異なる２つ以上の断面を示す断面画像を用いて、腹部領域中の皮下脂肪領域の分布と内臓脂肪領域の分布とを求め、被験者に関する２種類の分布と、これらの２種類の分布に対応する予め求めておいた人体モデルについての２種類の分布あるいは過去の被験者についての２種類の分布とを比較して、被験者の肥満の状態を示す診断指標を得るようにしたので、被験者の肥満の状態を、一般的に、あるいは自身との過去との比較で示す診断指標の品質を高めることができる。
【００１６】
すなわち、被験者の腹部領域を通る互に異なる２種類以上の各断面を示す断面画像を用いて各脂肪領域の分布を求めることにより、従来とは異なり、腹部領域中の各脂肪領域の立体的な分布を知ることができ、このような立体的な各脂肪領域の分布を用いて被験者の肥満の状態を示す診断指標を得ることができるので、被験者の肥満の状態を示す診断指標の品質を高めることができる。
【００１７】
また、断面画像を、被験者のへそを通り身長方向に対して直交する断面よりも頭部側の断面を示す断面画像と、へそを通る断面よりも脚部側の断面を示す断面画像とを含むものとすれば、被験者のへそを通る断面よりも脚部側と頭部側の両方についてより確実な皮下脂肪領域と内臓脂肪領域の分布についての情報を得ることができ、これにより、被験者の肥満の状態を示す診断指標の品質をさらに高めることができる。
【発明を実施するための最良の形態】
【００１８】
以下、本発明の実施の形態による診断指標取得方法について説明する。図１（ａ）は断面画像が取得される被験者の腹部領域中の断面の位置を示す図、図１（ｂ）は人体モデルを示す図、図２（ａ）は断面Ｈ１を表す断面画像Ｇ１を示す図、図２（ｂ）は断面Ｈ２を表す断面画像Ｇ２を示す図、図２（ｃ）は断面Ｈ３を表す断面画像Ｇ３を示す図、図３（ａ）は被験者の皮下脂肪領域の３次元分布を示す図、図３（ｂ）は被験者の内臓脂肪領域の３次元分布を示す図、図４（ａ）は被験者の身長方向に沿った各脂肪領域の分布を示す図、図４（ｂ）は人体モデルの身長方向に沿った各脂肪領域の分布を示す図、図５（ａ）、（ｂ）、（ｃ）は身長方向に沿った、人体モデルの各脂肪領域の大きさに対する被験者の各脂肪領域の大きさの比率を示す図である。
【００１９】
図示の診断指標取得方法は、はじめに、被検者Ｈの腹部領域Ｈｂ中の互に異なる２つ以上の断面Ｈ１、Ｈ２，Ｈ３，・・・を示す断面画像Ｇ１，Ｇ２，Ｇ３・・・を用意する。
【００２０】
ここで、各断面画像Ｇ１，Ｇ２，Ｇ３・・・は、Ｘ線ＣＴによる断層撮影で得られたものとすることができる。
【００２１】
次に、断面画像Ｇ１，Ｇ２，Ｇ３・・・を用いて、腹部領域Ｈｂ中の皮下脂肪領域Ｆｐの分布と内臓脂肪領域Ｆｏの分布とを求める。ここで、断面Ｈ１とＨ２の間の領域における皮下脂肪領域Ｆｐや内臓脂肪領域Ｆｏの分布（立体的な範囲）は、断面Ｈ１、Ｈ２における皮下脂肪領域Ｆｐと内臓脂肪領域Ｆｏの分布（平面的な範囲）を表す断面画像Ｇ１，Ｇ２における皮下脂肪領域Ｆｐ１、Ｆｐ２の範囲や内臓脂肪領域Ｆｏ１、Ｆｏ２の範囲を補間して得る。
【００２２】
また、同様に、他の断面Ｈ２とＨ３の間の領域等における皮下脂肪領域Ｆｐや内臓脂肪領域Ｆｏの分布（立体的な範囲）についても断面画像Ｇ２，Ｇ３等が表す皮下脂肪領域Ｆｐ２、Ｆｐ３の範囲や内臓脂肪領域Ｆｏ２、Ｆｏ３の範囲を補間して得る。
【００２３】
このようにして、図３（ａ）、（ｂ）に示すような、被験者Ｈを前後方向（背腹方向、図中矢印Ｘ方向）から見たときの、この被験者Ｈの腹部領域Ｈｂ中の皮下脂肪領域Ｆｐの立体的な分布と内臓脂肪領域Ｆｏの立体的な分布を示す被験者皮下脂肪分布画像Ｇｈｐと被験者内臓脂肪分布画像Ｇｈｏとを得る。
【００２４】
ここで、被験者皮下脂肪分布画像Ｇｈｐおよび被験者内臓脂肪分布画像Ｇｈｏにおける濃度の高いところは被験者Ｈの前後方向（背腹方向、図中矢印Ｘ方向）に脂肪が厚く堆積している領域であり、濃度が薄い領域ほど被験者Ｈの前後方向に堆積する脂肪の厚さが薄いことを表している。
【００２５】
次に、被験者皮下脂肪分布画像Ｇｈｐを用いて、被験者Ｈの身長方向（図中矢印Ｚ方向）に沿った皮下脂肪領域の分布を示す被験者皮下脂肪分布曲線Ｋｈｐ（ｚ）を、また、被験者内臓脂肪分布画像Ｇｈｏを用いて、被験者Ｈの身長方向に沿った内臓脂肪領域の分布を示す被験者内臓脂肪分布曲線Ｋｈｏ（ｚ）を求める。
【００２６】
図４（ａ）は、縦軸Ｑに脂肪の堆積量、横軸Ｚに被験者Ｈの身長方向の位置を示すＱ−Ｚ座標上に被験者皮下脂肪分布曲線Ｋｈｐ（ｚ）と被験者内臓脂肪分布曲線Ｋｈｏ（ｚ）とを示したものであり、各曲線Ｋｈｐ（ｚ）、およびＫｈｏ（ｚ）は、Ｙ−Ｘ断面における被験者Ｈの皮下脂肪領域、および内臓脂肪の大きさの身長方向（Ｚ方向）に沿った変化を示すものである。
【００２７】
なお、Ｑ−Ｚ座標上において、被験者皮下脂肪分布曲線は、Ｑ＝Ｋｈｐ（ｚ）、被験者内臓脂肪分布曲線は、Ｑ＝Ｋｈｏ（ｚ）の式で示されるものである。
【００２８】
また、上記被験者Ｈに関する２種類の分布である被験者皮下脂肪分布曲線Ｋｈｐ（ｚ）および被験者内臓脂肪分布曲線Ｋｈｏ（ｚ）に対応する、予め求めておいた人体モデルＭについての２種類の分布を示す曲線である人体モデル皮下脂肪分布曲線Ｋｍｐ（ｚ）および人体モデル内臓脂肪分布曲線Ｋｍｏ（ｚ）を図４（ｂ）に示す。
【００２９】
なお、ここでは、人体モデルＭは、腹部領域、皮下脂肪領域および内臓脂肪領域の大きさや分布状態が標準的な人体を示すものとする。ただし、人体モデルは、肥満状態の人体を示すものであってもよい。
【００３０】
図４（ｂ）は縦軸Ｑに脂肪の堆積量、横軸Ｚに人体モデルＭの身長方向の位置を示すＱ−Ｚ座標上に人体モデル皮下脂肪分布曲線Ｋｍｐ（ｚ）および人体モデル内臓脂肪分布曲線Ｋｍｏ（ｚ）を示したものである。上記人体モデル皮下脂肪分布曲線Ｋｍｐ（ｚ）および人体モデル内臓脂肪分布曲線Ｋｍｏ（ｚ）は、上記被験者Ｈの場合と同様に人体モデルＭ（図１（ｂ）参照）のＹ−Ｘ断面における皮下脂肪領域と内臓脂肪領域それぞれの大きさの身長方向（Ｚ方向）に沿った変化を示すものである。
【００３１】
上記被験者Ｈの場合と同様に、Ｑ−Ｚ座標上において、人体モデル皮下脂肪分布曲線は、Ｑ＝Ｋｍｐ（ｚ）、人体モデル内臓脂肪分布曲線は、Ｑ＝Ｋｍｏ（ｚ）の式で示されるものである。
【００３２】
次に、被験者Ｈに関する２種類の分布（被験者皮下脂肪分布曲線Ｋｈｐ（ｚ）および被験者内臓脂肪分布曲線Ｋｈｏ（ｚ））と、これら２種類の分布に対応する予め求めておいた人体モデルＭについての２種類の分布（人体モデル皮下脂肪分布曲線Ｋｍｐ（ｚ）および人体モデル内臓脂肪分布曲線Ｋｍｏ（ｚ））とを比較する。この比較は、以下のようにして行う。
【００３３】
ここで、Ｑ−Ｚ座標上において、人体モデルＭの腹部領域ＭｂのＺ軸方向における大きさが、被験者Ｈの腹部領域ＨｂのＺ軸方向の大きさと違う場合には、両者の大きさを一致させるように、人体モデルＭの大きさを拡大あるいは縮小させる。すなわち、人体モデル皮下脂肪分布曲線Ｑ＝Ｋｍｐ（ｚ）および人体モデル内臓脂肪分布曲線Ｑ＝Ｋｍｏ（ｚ）をＱ軸方向およびＺ軸方向へ同じ倍率で拡大あるいは縮小させて、Ｑ−Ｚ座標上において、人体モデルＭの腹部領域ＭｂのＺ軸方向大きさと、被験者Ｈの腹部領域ＨｂのＺ軸方向大きさとが一致するようにする。
【００３４】
ここでは、既に、被験者Ｈの腹部領域の身長方向（座標Ｚ方向）の大きさと、人体モデルの腹部領域の身長方向（座標Ｚ方向）の大きさとが一致しているものとする。
【００３５】
次に、予め求められている人体モデル皮下脂肪分布曲線Ｋｍｐ（ｚ）に対する被験者皮下脂肪分布曲線Ｋｈｐ（ｚ）の比率を示す皮下脂肪比率曲線Ｐｓ（ｚ）を求める。ここで、皮下脂肪比率曲線Ｐｓ（ｚ）は、Ｐｓ（ｚ）＝Ｋｈｐ（ｚ）／Ｋｍｐ（ｚ）の式で定められる。
【００３６】
これとともに、予め求められている人体モデル内臓脂肪分布曲線Ｋｍｏ（ｚ）に対する被験者内臓脂肪分布曲線Ｋｈｏ（ｚ）の比率を示す内臓脂肪比率曲線Ｏｓ（ｚ）を求める。ここで、内臓脂肪比率曲線Ｏｓ（ｚ）は、Ｏｓ（ｚ）＝Ｋｈｏ（ｚ）／Ｋｍｏ（ｚ）の式で定められる。
【００３７】
図５（ａ）、（ｂ）、（ｃ）ぞれぞれは、縦軸Ｒに上記比率、横軸Ｚに被験者Ｈおよび人体モデルの身長方向の位置を示すＲ−Ｚ座標軸上に、皮下脂肪比率曲線Ｐｓ（ｚ）および内臓脂肪比率曲線Ｏｓ（ｚ）を示したものである。Ｒ−Ｚ座標軸上において、皮下脂肪比率曲線はＲ＝Ｐｓ（ｚ）、内臓脂肪比率曲線はＲ＝Ｏｓ（ｚ）の式で表される。
【００３８】
皮下脂肪比率曲線Ｐｓ（ｚ）の値が１となる位置は、人体モデルの皮下脂肪の堆積量と被験者の皮下脂肪の堆積量とが一致している位置である。また、皮下脂肪比率曲線Ｐｓ（ｚ）の値が１を超える位置は、人体モデルよりも被験者の方が皮下脂肪の堆積量が大きい位置である。
【００３９】
内臓脂肪比率曲線Ｏｓ（ｚ）の値が１となる位置は、人体モデルの内臓脂肪の堆積量と被験者の内臓脂肪の堆積量とが一致している位置である。また、皮下脂肪比率曲線Ｐｓ（ｚ）の値が１を超える位置は、人体モデルよりも被験者の方が皮下脂肪の堆積量が大きい位置である。
【００４０】
次に、皮下脂肪比率曲線Ｐｓ（ｚ）と内臓脂肪比率曲線Ｏｓ（ｚ）とから、被験者の肥満の状態を示す診断指標を得る。
【００４１】
例えば、皮下脂肪比率曲線Ｐｓ（ｚ）または内臓脂肪比率曲線Ｏｓ（ｚ）が、腹部領域中のいずれの位置においても１．２以上の値を示すときには、被験者が肥満であることを示す診断指標が対応付けられる。
【００４２】
また、Ｚ軸上における腹部領域Ｈｂを示す領域中の８０％以上の領域において、皮下脂肪比率曲線Ｐｓ（ｚ）の値よりも内臓脂肪比率曲線Ｏｓ（ｚ）の値の方が大きいときには、被験者が内臓肥満であることを示す診断指標が対応付けられる。一方、腹部領域を示すＺ軸の領域中の８０％以上の領域において、内臓脂肪比率曲線Ｏｓ（ｚ）の値よりも皮下脂肪比率曲線Ｐｓ（ｚ）の値の方が大きいときには、被験者が皮下脂肪肥満であることを示す診断指標が対応付けられる。
【００４３】
さらに、例えば、皮下脂肪比率曲線Ｐｓ（ｚ）（あるいは内臓脂肪比率曲線Ｏｓ（ｚ））の示すＲ軸方向の値が、Ｚ軸方向の値（ｚの値）が大きくなるにしたがって概略単調増加するときには、被験者が腹部上方皮下脂肪肥満（あるいは腹部上方内臓脂肪肥満）であることを示す診断指標が対応付けられる。
【００４４】
これとは反対に、皮下脂肪比率曲線Ｐｓ（ｚ）（あるいは内臓脂肪比率曲線Ｏｓ（ｚ））の示すＲ軸方向の値が、Ｚ軸方向の値（ｚの値）が大きくなるにしたがって概略単調減少するときには、被験者が腹部下方皮下脂肪肥満（あるいは腹部下方内臓脂肪肥満）であることを示す診断指標が対応付けられる。
【００４５】
図５（ａ）の皮下脂肪比率曲線Ｐｓ（ｚ）および内臓脂肪比率曲線Ｏｓ（ｚ）は、腹部領域中のいずれの位置においても１．２以上の値を示しているので、被験者Ｈが肥満であることを示す指標を与える。
【００４６】
図５（ｂ）の皮下脂肪比率曲線Ｐｓ（ｚ）および内臓脂肪比率曲線Ｏｓ（ｚ）は、皮下脂肪肥比率が内臓脂肪比率を上回っていることを示しているので、被験者Ｈが皮下脂肪肥満であることを示す指標を与える。
【００４７】
図５（ｃ）の皮下脂肪比率曲線Ｐｓ（ｚ）は、皮下脂肪比率が腹部上方に向かって単調増加するので被験者Ｈが腹部上方皮下脂肪肥満であることを示す指標を与える。また、図５（ｃ）の内臓脂肪比率曲線Ｏｓ（ｚ）は、内臓脂肪比率が腹部下方に向かって単調増加するので被験者Ｈが腹部下方内臓脂肪肥満であることを示す指標を与える。
【００４８】
なお、被験者の脂肪の分布状態と人体モデルの脂肪の分布状態とを比較する代わりに、被験者の脂肪の分布状態と過去における被験者の脂肪の分布状態とを比較してもよい。
【００４９】
すなわち、予め求めておいた人体モデルについての２種類の分布を、予め求めておいた被験者に関する過去における２種類の分布に変更してもよい。
【００５０】
このような場合には、上記と同様に、被験者皮下脂肪分布曲線Ｋｈｐ（ｚ）と被験者内臓脂肪分布曲線Ｋｈｏ（ｚ）とを求め、その後、これら２種類の分布を示す曲線と、予め求めておいた被験者に関する過去における２種類の分布を示す過去皮下脂肪分布曲線ＫＫｈｐ（ｚ）と過去内臓脂肪分布曲線ＫＫｈｏ（ｚ）とを比較する。
【００５１】
すなわち、予め求められている過去皮下脂肪分布曲線ＫＫｈｐ（ｚ）に対する被験者皮下脂肪分布曲線Ｋｈｐ（ｚ）の比率を示す皮下脂肪新旧比率曲線ＰＫｓ（ｚ）を求める。ここで、皮下脂肪新旧比率曲線ＰＫｓ（ｚ）は、ＰＫｓ（ｚ）＝Ｋｈｐ（ｚ）／ＫＫｈｐ（ｚ）の式で定められる。
【００５２】
これとともに、過去内臓脂肪分布曲線ＫＫｈｏ（ｚ）に対する被験者内臓脂肪分布曲線Ｋｈｏ（ｚ）の比率を示す内臓脂肪新旧比率曲線ＯＫｓ（ｚ）を求める。ここで、内臓脂肪新旧比率曲線ＯＫｓ（ｚ）は、ＯＫｓ（ｚ）＝Ｋｈｏ（ｚ）／ＫＫｈｏ（ｚ）の式で定められる。
【００５３】
図６（ａ）、（ｂ）ぞれぞれは、縦軸Ｒに上記比率、横軸Ｚに被験者Ｈの身長方向の位置を示すＲ−Ｚ座標軸上に、皮下脂肪新旧比率曲線ＰＫｓ（ｚ）および内臓脂肪新旧比率曲線ＯＫｓ（ｚ）を示したものである。Ｒ−Ｚ座標軸上において、皮下脂肪新旧比率曲線はＲ＝ＰＫｓ（ｚ）、内臓脂肪新旧比率曲線はＲ＝ＯＫｓ（ｚ）の式で表される。
【００５４】
皮下脂肪新旧比率曲線ＰＫｓ（ｚ）の値が１となる位置は、被験者Ｈの過去と現在の皮下脂肪の堆積量が一致している位置である。また、皮下脂肪新旧比率曲線ＰＫｓ（ｚ）の値が１を超える位置は、過去よりも現在の方が被験者Ｈの皮下脂肪の堆積量が大きい位置である。
【００５５】
上記と同様に内臓脂肪新旧比率曲線ＯＫｓ（ｚ）の値が１となる位置は、被験者Ｈの過去と現在の内臓脂肪の堆積量が一致している位置である。また、内臓脂肪新旧比率曲線ＯＫｓ（ｚ）の値が１を超える位置は、過去よりも現在の方が被験者Ｈの内臓脂肪の堆積量が大きい位置である。
【００５６】
次に、皮下脂肪新旧比率曲線ＰＫｓ（ｚ）と内臓脂肪新旧比率曲線ＯＫｓ（ｚ）とから、被験者の肥満の状態を示す診断指標を得る場合について説明する。
【００５７】
例えば、皮下脂肪新旧比率曲線ＰＫｓ（ｚ）（あるいは内臓脂肪新旧比率曲線ＯＫｓ（ｚ））が、腹部領域中のいずれの位置においても１．０を超える値を示すときには、被験者Ｈの皮下脂肪（あるいは内臓脂肪）が増加して肥満が進行していることを示す診断指標が対応付けられる。
【００５８】
さらに、例えば、皮下脂肪新旧比率曲線ＰＫｓ（ｚ）（あるいは内臓脂新旧肪比率曲線ＯＫｓ（ｚ））のＲ軸の値が、Ｚ軸の値（ｚの値）が大きくなるにしたがって１を超えて概略単調増加するときには、被験者Ｈの腹部上方の皮下脂肪肥満（あるいは内臓脂肪肥満）が進行していることを示す診断指標が対応付けられる。
【００５９】
これとは反対に、皮下脂肪新旧比率曲線ＰＫｓ（ｚ）（あるいは内臓脂肪新旧比率曲線ＯＫｓ（ｚ））の示すＲ軸の値が、Ｚ軸の値（ｚの値）が大きくなるにしたがって減少し１未満となるときには、被験者Ｈの腹部上方の皮下脂肪肥満（あるいは内臓脂肪肥満）が解消しつつあることを示す診断指標が対応付けられる。
【００６０】
図６（ａ）の皮下脂肪新旧比率曲線ＰＫｓ（ｚ）および内臓脂肪新旧比率曲線ＯＫｓ（ｚ）は、被験者Ｈの肥満が進行していることを示す診断指標を与えるものである。
【００６１】
図６（ｂ）の皮下脂肪新旧比率曲線ＰＫｓ（ｚ）は、被験者Ｈの腹部上方の皮下脂肪肥満が進行していることを示す。また、図６（ｂ）の内臓脂肪新旧比率曲線ＯＫｓ（ｚ）は、被験者Ｈの腹部上方の内臓脂肪肥満が解消しつつあることを示す診断指標を与えるものである。
【００６２】
なお、上記実施の形態においては、皮下脂肪および内臓脂肪の分布を示す曲線が、身長方向に沿った皮下脂肪領域および内臓脂肪領域の大きさの変化を示すものとしたが、必ずしもこのような場合に限らない。
【００６３】
また、断面画像は、被験者のへそを通り身長方向に対して直交する断面よりも頭部側の断面を示す断面画像と、このへそを通る断面よりも脚部側の断面を示す断面画像とを含むものとすることが望ましい。
【００６４】
さらに、各断面画像は、被検者の身長方向（背骨の伸びる方向）に対して直交する断面とすることが望ましいが、必ずしもそのような場合に限らず、被検者の身長方向に対して傾斜した断面を示す断面画像を採用してもよい。
【００６５】
なお、被検者の腹部領域は、肝臓上部辺縁、横隔膜下部、脊椎の椎間のうちのいずれかを通る被検者の身長方向に対して直交する断面と、腸骨上部、腸骨下部、仙骨下部のうちのいずれかを通る被検者の身長方向に対して直交する断面との間の領域とすることができる。
【図面の簡単な説明】
【００６６】
【図１】断面画像が取得される被験者の腹部領域中の断面の位置を示す図
【図２】図２（ａ）は断面Ｈ１を表す断面画像Ｇ１を示す図、図２（ｂ）は断面Ｈ２を表す断面画像Ｇ２を示す図、図２（ｃ）は断面Ｈ３を表す断面画像Ｇ３を示す図
【図３】図３（ａ）は被験者の皮下脂肪領域の３次元分布を示す図、図３（ｂ）は被験者の内臓脂肪領域の３次元分布を示す図
【図４】図４（ａ）は被験者の身長方向に沿った各脂肪領域の分布を示す図、図４（ｂ）は人体モデルの身長方向に沿った各脂肪領域の分布を示す図
【図５】図５（ａ）、（ｂ）、（ｃ）それぞれは、人体モデルの各脂肪領域の大きさに対する被験者の各脂肪領域の大きさの比率を身長方向に沿って示す図
【図６】図６（ａ）、（ｂ）ぞれぞれは、皮下脂肪比率曲線および内臓脂肪比率曲線を示す図
【符号の説明】
【００６７】
Ｈ    被験者
Ｈｂ    腹部領域
Ｇｈｐ    被験者皮下脂肪分布画像
Ｇｈｏ    被験者内臓脂肪分布画像
Ｋｈｏ（ｚ）    被験者内臓脂肪分布曲線
Ｋｈｐ（ｚ）    被験者皮下脂肪分布曲線
Ｆｐ    皮下脂肪領域
Ｆｏ    内臓脂肪領域
【図１】
0005047716.tif 000002
【図２】
0005047716.tif 000003
【図３】
0005047716.tif 000004
【図４】
0005047716.tif 000005
【図５】
0005047716.tif 000006
【図６】
0005047716.tif 000007